Podtech/llm-jp-corpus-v4-ja_patent huggingface dataset:
(57)【要約】【課題】上面板を緩やかな弧形状とすることで、雨水の流れを良くし雨の筋が現れない屋外設置用筐体を提供する。【解決手段】正面の前扉１と、両側面２、３と背面４と上面板５に囲まれた四角形の屋外設置用筐体に於いて、前記上面板５の中央部分を両側面２、３に向かって緩やかな下り傾斜の弧形状１２とし、背面４及び前扉１側には小寸法のフラット面１３を形成したので、上面板５に降った雨水は、緩やかな下り傾斜の弧形状１２を伝って両側面２、３への流と、背面４及び前扉１側のフラット面１３から背面４、前扉１への流れに分流され、降水量にもよるが、雨水の大部分は両側面２、３に流れるが、背面４及び前扉１にもある程度は流れるので、前扉１側に大量に流れて雨の筋が現れることがなく、しかもまったく流れないことにより埃や塵が堆積して汚い状態になることがない。【選択図】  図１
2015014421.tif 000002
【特許請求の範囲】
【請求項１】
正面の前扉と、両側面と背面と上面板に囲まれた四角形の屋外設置用筐体に於いて、前記上面板の中央部分を両側面に向かって緩やかな下り傾斜の弧形状とし、背面及び前扉側には小寸法のフラット面を形成した事を特徴とする屋外設置用筐体。
【発明の詳細な説明】
【技術分野】
【０００１】
この発明は、給湯機やエアコンの室外機などの屋外設置用筐体の雨の処理構造に関するものである。
【背景技術】
【０００２】
従来よりこの種の屋外設置用筐体では、特許文献１に開示されているように、上面板の外周寄の全周に溝を設け、上面板に降る雨水を溝に集めて側面側の二箇所から下に排水することで、前扉及び両側面、背面を上から下へと雨の滴が流れることにより、表面に堆積している埃や塵が雨の筋として現れるのを防止するものであった。
【先行技術文献】
【特許文献】
【０００３】
【特許文献１】特開２０１１−２１４７２６号公報
【発明の概要】
【発明が解決しようとする課題】
【０００４】
ところでこの従来のものでは、上面板に降った雨水が一側面のみからしか排水されないので、逆に前扉や背面の表面に溜まった埃や塵がなかなか落ちず、汚い状態になると言う課題を有するものであった。
【課題を解決するための手段】
【０００５】
この発明はこの点に着目し上記課題を解決する為、特にその構成を、正面の前扉と、両側面と背面と上面板に囲まれた四角形の屋外設置用筐体に於いて、前記上面板の中央部分を両側面に向かって緩やかな下り傾斜の弧形状とし、背面及び前扉側には小寸法のフラット面を形成したものである。
【発明の効果】
【０００６】
以上のようにこの発明によれば、上面板に降った雨水は、緩やかな下り傾斜の弧形状を伝って両側面への流と、背面及び前扉側のフラット面から背面、前扉への流れに分流され、降水量にもよるが、雨水の大部分は両側面に流れるが、背面及び前扉にもある程度は流れるので、前扉側に大量に流れて雨の筋が現れることがなく、しかもまったく流れないことにより埃や塵が堆積して汚い状態になることがなく、すなわち、上面板の形状の工夫によって、前扉には雨の筋が現れる程多く流れず、又埃や塵が落ちない程流れない程少なく流れず、丁度埃や塵が流れ落ちるように流れて、常に綺麗な状態を維持出来、見た目も良く長期に渡って使用出来るものである。
【図面の簡単な説明】
【０００７】
【図１】この発明の一実施形態の屋外設置用筐体を示す給湯装置の正面図。
【図２】同平面図。
【図３】同上面板のＡ−Ａ線断面図。
【図４】同上面板のＢ−Ｂ線断面図。
【発明を実施するための形態】
【０００８】
次にこの発明の一実施形態の屋外設置用筐体を図面に基づいて説明する。
この屋外設置用筐体は、家の外壁に取り付けられて家中の給湯を行う壁掛け式の給湯機であり、正面で点検、修理で取り外されるように取り外し容易に取り付けられた前扉１と、
両側面２、３と背面４と上面板５に囲まれた四角形を呈している。
【０００９】
前記前扉１の上部左寄りには排気ガスの排気口６が、又中央の右寄りには鎧戸状の給気口７がそれぞれ形成されており、底板８には給湯管（図示せず）が接続する給湯接続管９や、給水管（図示せず）が接続する給水接続管１０や、燃料の灯油が圧送される燃料送油管１１が突出して備えられているものである。
【００１０】
更に上面板５の中央部分は中央が一番高く、両側面２、３に向かって緩やかな下り傾斜の弧形状１２とし、背面４及び前扉１側端部には、小寸法で帯状のフラット面１３が形成されており、雨天では降り注いだ雨水の大部分が、この下り傾斜の弧形状１２を伝って緩やかに両側面２、３側へ流れて、両側面２、３を流れて地面へと落下するものであり、又上面板５のフラット面１３に降り注いだ少量の雨水は、溜まることなくそのまま背面４及び前扉１へと流れて地面へと流れて落下するものである。
【００１１】
次にこの一実施形態の屋外設置用筐体の作動について説明する。
今雨天となり屋外設置用筐体である壁掛け式の給湯機に雨水が降り注ぐが、この時、上面板５の中央部分は、両側面２、３に向かって緩やかな下り傾斜の弧形状１２なので、大部分の雨水は、この弧形状１２上を流れて両側面２、３を伝って大量の雨水が地面に落下するものであり、一方上面板５のフラット面１３に降り注ぐ少量の雨水は、溜まることなく素早く背面４及び前扉１の表面を流れ、この表面に堆積した埃や塵を洗い流して綺麗にすることが出来、又前扉１の表面に大量の雨水が流れこまないので、雨の筋が発生することがなく、美観的にも良いものであり、ただ大量の雨水が流れ込む両側面２、３には雨の筋が現れる可能性があるが、両側面２、３は面積的にも少なく、器具正面でなくて側面なので大きな問題になることはなく、長期に渡って安心して良好に使用出来るものである。
【符号の説明】
【００１２】
１  前扉
２  右側面
３  左側面
４  背面
５  上面板
１２  弧形状
１３  フラット面
【図１】
2015014421.tif 000003
【図２】
2015014421.tif 000004
【図３】
2015014421.tif 000005
【図４】
2015014421.tif 000006
(57)【要約】【課題】本発明は、シャツ襟等の型崩れを防止する為の技術を提供する。【解決手段】吸湿性の高い、不織布シートの下に吸湿材を設け、その下に樹脂性シートを設け、さらにその下に不織布シートを設けて、この全体を１枚の積層シートに形成する。最後にこの積層シートをプレスにて、人体首部形状に成型する。【選択図】図１
2015014073.tif 000002
【特許請求の範囲】
【請求項１】
不織布［パルプシート含む］（１）の下に、吸湿材（２）を設け、さらに吸湿材（２）の下に、樹脂性シート（３）を設け、さらにこの樹脂性シート（３）の下に、不織布［パルプシート含む］（１）を設けて、これらを一つの積層シート（４）として設け、最後に、この積層シート（４）を人体首部カーブ状に形成する、このような特徴よりなる、汗吸収作用と型崩れ防止効果を持った、シャツ襟カラー。
【発明の詳細な説明】
【技術分野】
【０００１】  本発明は、シャツの襟が汗で濡れてしまったり、襟が型崩れを起こしたりするのを防止する技術に関するものである。
【背景技術】
【０００２】  従来は、クリーニングを施してシャツ襟を形良く整えている。【０００３】  つまり現在は、クリーニングして形を整えて使用しているが、汗をかく度にすぐに襟などは形が崩れてしまう。近年、これに対しての種々の対策アイデアが公開されている。まず特開平８−４９１０１の襟付シャツや実開平５−２７００２のＹシャツ襟汗取り用紙、特開平１１−２１７０１のワイシャツ襟の汚れ防止貼り付カバーや、特開２０１３−０２８８８５の襟用吸汗シートなどが出願されているが、襟そのものを交換するシャツのアイデアとか、襟の首周り後方部位のみを汗吸収させるものだったりするので、襟着脱できる特殊シャツにしたり、襟全体の吸汗が出来ないものだったりしていた。また、内襟部位（６）ばかりに対策が集中しており、肝心の外襟部位（５）の型崩れに気がついていないのである。
【発明の開示】
【発明が解決しようとする課題】
【０００４】  つまり現状では、シャツスタイルの要になる、襟の外襟部位（５）の型崩れが無いようにする事がポイントであり、現状ではこれがなされていない。
これらの問題点を改善し、今までにない有効な本発明がなされたのである。
【課題を解決するための手段】
【０００５】  本発明は出来る限りの簡単構成で形成されている。以下解決手段を説明する。
まず吸湿性の高い不織布［パルプシート含む］（１）の下に、特に汗水等をその高い吸水性能で完全に吸い取る、高吸水ポリマー等の吸湿材（２）を設ける。さらにこの吸湿材（２）の下に、薄い透明板状の樹脂性シート（３）を設ける。そして該シートの下に、さらに不織布［パルプシート含む］（１）を設け、これら全体を１枚板の積層シート（４）に形成して設ける。そして最後に、この積層シート（４）をプレス等により人体の首部形状の緩いカーブ状に成型する。
本発明は以上のような特徴よりなる、汗吸収作用と型崩れ防止効果を持ったシャツカラーである。
【発明の効果】
【０００６】  内襟部位（６）から外襟部位（５）まで、汗水を吸収するのと、樹脂性シート（３）の形状保持効果で、シャツの襟は仕事にスポーツによっても型崩れせず、快適性を保つ。
また構造構成もシンプルであり、ローコストに供給できる。
【発明を実施するための最良の形態】
【０００７】  シャツやワイシャツ等は、首周りの襟は非常に気になり、また目立つ場所でもあり、これがまた一番型崩れする部分でもある。まず、吸湿性のある不織布［パルプシート含む］（１）の下に、最近多方面に利用されている高吸水ポリマー等の吸湿材（２）を重ねて設ける。さらにこの吸湿材（２）の下に、襟の型崩れをしないように支える、薄い樹脂性シート（３）を設ける。そしてさらに、この該シートの下に不織布［パルプシート含む］（１）を設ける。このように順次積層させて、一枚の積層シート（４）として形成する。最後にこの積層シート（４）をプレス等で、人体の首部形状に成型する。
本発明は以上のような構成であり、これを使用実施するときには、【０００８】  シャツ襟の内襟部位（６）と外襟部位（５）の間に、人体首部形状に形成した、積層シート（４）を挟み込んで装着するだけで良い。後はゴルフなどスポーツをやってもまた、ビジネスで動き回っても、襟部の汗水などをしっかり吸収し、また樹脂性シート（３）の襟支持が効いているので、襟は型崩れもなく、襟首周りはサラサラとして気持ちの良い状態を保つ。
【図面の簡単な説明】
【０００９】
【図１】  本発明の斜視図である。
【図２】  本発明の積層Ａ−Ａ断面図である。
【図３】  本発明の襟部装着説明図である。
【図４】  本発明の実施説明図である。
【符号の説明】
【００１０】  １  不織布［パルプシート含む］
２  吸湿材
３  樹脂性シート
４  積層シート
５  外襟部位
６  内襟部位
【図１】
2015014073.tif 000003
【図２】
2015014073.tif 000004
【図３】
2015014073.tif 000005
【図４】
2015014073.tif 000006
(57)【要約】      （修正有）【課題】原因不明又はラジエーター不良等、様々な原因でオーバーヒートを起こし冷却水が吹き出るのを抑制する。【解決手段】水が吹き出すラジエーターのキャップ１にに穴を開け、丸座金３を入れ、キャップの裏から金属ソケット４でとめる。竹の子パイプ２にホース５を差し込み、バンド６で固定し、ホースのもう一方の端に竹の子パイプ２を取り付け、ポリタンクのキャップ７に固定する。吹き返した冷却水が自動的にラジエーターに戻るので、冷却水を補充する必要が無い。よってオーバーヒートが抑制される。【選択図】図１
2015014282.tif 000002
【特許請求の範囲】
【請求項１】
ラジエーターのキャップ（１）にホース（５）を取り付け、その一方にポリタンクのキャップ（７）を取り付けたもの。
【発明の詳細な説明】
【技術分野】
【０００１】この発明はラジエーター又はサブタンクのキャップに、ホースとタンクを取り付けたものである。
【背景技術】
【０００２】従来、原因不明又はラジエーター不良等、様々な原因でオーバーヒートを起こし冷却水が吹き出る。それを抑制するものである。
【先行技術文献】
【特許文献】
【０００３】
【特許文献１】
【発明の概要】
【発明が解決しようとする課題】
【０００４】これは次のような欠点があった。従来老朽化とともにラジエーターから水が吹き返し出てくる。本発明は以上の様な欠点を補うためになされたものである。
【課題を解決するための手段】
【０００５】ラジエーター又はサブタンクのキャップにホースを取り付け固定し、その先にタンクを取り付け固定したものである。
【発明の効果】
【０００６】吹き返した冷却水が自動的にラジエーターに戻るので、冷却水を補充する必要が無い。よってオーバーヒートの抑制になるのである。
【図面の簡単な説明】
【０００７】
【図１】本発明の斜視図である。
【発明を実施するための形態】
【０００８】以下、本発明を実施するための形態について説明する。
ラジエーターのキャップ（１）に穴を開け、金属製の竹の子パイプ（２）、丸座金（３）を入れ、キャップの裏から金属ソケット（４）でとめる。竹の子パイプ（２）にホース（５）を差し込み、バンド（６）で固定し、ホースのもう一方の端に竹の子パイプ（２）を取り付け、ポリタンクのキャップ（７）に固定する。各取付け箇所には水漏れ防止のため、シリコン等を接続部に付ける。本発明は以上の様な構造である。
【符号の説明】
【０００９】１  ラジエーターのキャップ
２  パイプ
３  丸座金
４  ソケット
５  ホース
６  バンド
７  キャップ
【図１】
2015014282.tif 000003